(57)【要約】【課題】ドアガラスを閉めた際の水受けリップ部の変形を大きく抑えつつ優れたシール機能を発揮しうるオープンカー用ウェザーストリップのコーナー型成形部構造を提供する。【解決手段】幌１０付き車両のフロントピラー１上端部からフロントガラス２上端を固定するヘッダ３に沿って取付けられる支持部２１と、支持部２１に一体成形されヘッダ３側では幌１０に弾接しかつフロントピラー１側では昇降するドアガラス５の上端縁に弾接する中空シール部２２と、フロントピラー１側の中空シール部２２の下部から幌１０の閉時位置で幌１０の側面下方まで車外側に延びるように設けられた水受けリップ部２４を備えるコーナー型成形部２０Ｘの構造で、中空シール部２２における、ドアガラス５の上端縁が弾接する位置よりも高い位置で車内側に、ドアガラス５に略平行に延びるスリット状の長孔３０を形成した。【選択図】図１
2014019329.tif 000002
【特許請求の範囲】
【請求項１】
可動または取外し自在な非固定式ルーフを有する車両のフロントピラー上端部からフロントガラス上端を固定するヘッダに沿って取付けられる支持部と、前記支持部に一体成形され前記ヘッダ側では前記非固定式ルーフに弾接しかつ前記フロントピラー側では昇降するドアガラスの上端縁に弾接する中空シール部と、前記フロントピラー側の中空シール部の下部から前記非固定式ルーフの閉時位置でその非固定式ルーフの側面下方まで車外側に延びるように設けられた水受けリップ部を備えるオープンカー用ウェザーストリップのコーナー型成形部の構造であって、
前記中空シール部における、前記ドアガラスの上端縁が弾接する位置よりも高い位置で車内側に、前記ドアガラスに略平行に延びるスリット状の長孔を形成したことを特徴とするオープンカー用ウェザーストリップのコーナー型成形部構造。
【請求項２】
前記中空シール部は、前記非固定式ルーフの閉時位置でその非固定式ルーフの側面下方に位置する第一中空シール部と、第一中空シール部よりも前側に位置して押出成形部に接続される第二中空シール部からなり、前記第一中空シール部の上面は、前記第二中空シール部の上面よりも低く前側では下降して第二中空シール部内に入り込んで第二中空シール部の下面に連設された堰が設けられ、前記第一中空シール部の前側を袋状に閉じた状態にしたことを特徴とする請求項１に記載のオープンカー用ウェザーストリップのコーナー型成形部構造。
【請求項３】
前記水受けリップ部は、前記第一中空シール部に設けられ、
前記長孔はその前側が、前記第一中空シール部に設けられた水受けリップ部よりもさらに前側に延びる位置まで形成されてなることを特徴とする請求項２に記載のオープンカー用ウェザーストリップのコーナー型成形部構造。
【請求項４】
前記長孔はその前側が、前記第一中空シール部の上面が下降した堰まで形成されてなることを特徴とする請求項２又は３に記載のオープンカー用ウェザーストリップのコーナー型成形部構造。
【発明の詳細な説明】
【技術分野】
【０００１】
本発明は、可動または取外し自在な非固定式ルーフを有するオープンカーに取り付けられるオープンカー用ウェザーストリップのコーナー型成形部構造に関するものである。
【背景技術】
【０００２】
従来、図６に示すようなオープンカーには、非固定式ルーフである幌１０が備えられていて開閉自在になっている（（ａ）は幌１０の閉時，（ｂ）は幌１０の開時を示している）。
このようなオープンカーにおいては、フロントピラー１の上端部からフロントガラス２の上端を固定するヘッダ３に沿ってオープンカー用ウェザーストリップ２０が略コ字状に取付けられていたり、あるいはヘッダ３の中央部分が存在せずフロントピラー１の上端部からフロントピラー１に沿って取付けられていて、ヘッダ３側では幌１０が閉じられたときにヘッダ３と幌１０の間をシールし、フロントピラー１側では昇降するドアガラス５に弾接して車内外をシールするようになっている。
【０００３】
そしてオープンカー用ウェザーストリップ２０のコーナー部Ｘは、図７に示すように２つの押出成形部２０Ｙ，２０Ｙが型成形により一体成形されてなる型成形部２０Ｘで構成され、図８に示すように、幌１０の閉時には幌１０の前側角部に弾接する。
図９に示すように、オープンカー用ウェザーストリップ２０のコーナー型成形部２０Ｘは、フロントピラー１側ではフロントピラー１に取り付けられる支持部２１と、支持部２１の車外側に一体成形され昇降するドアガラス５の上端部に弾接する中空シール部２２と、支持部２１の車内側に一体成形されドアガラス５の車内側面に弾接するシール部２３を備えている。
【０００４】
しかし、降雨や洗車などによって幌１０の上面に残った水Ｗは幌１０の先端に集まることが多いので、ドア６を開けたりドアガラス５を降ろした際には、図９に示すように、水Ｗが滴下して車内側に浸入するといった問題があった。
そこで、この対策として、図１０に示すように、中空シール部２２から車外側に向けて延びるように水受けリップ部２４を設け、これによって滴下する水Ｗを受けて車内側に浸入しないようにしたものが知られている（例えば、特許文献１など）。
【先行技術文献】
【特許文献】
【０００５】
【特許文献１】特開２００６−２６４５９４号公報
【発明の概要】
【発明が解決しようとする課題】
【０００６】
しかしながら、図１０（ａ）に示したように、中空シール部２２に樋状に設けられた水受けリップ２４は、図１０（ｂ）に示したように、ドアガラス５が閉められると中空シール部２２が押圧されることによりその力が水受けリップ部２４に伝わって水受けリップ部２４は幌１０よりも車外側で下向きに突出するように変形してしまう。
このように水受けリップ部２４が変形すると幌１０との間に隙間Ｓが生じて外観性が悪化する。また水受けリップ部２４が車外側に突出変形すると風切り音にも悪影響を及ぼすことになるとともに、特に下向きに変形すると水受けリップ部２４は樋状の形状を維持することができないので水受けリップ部２４に沿って前側に水Ｗを排出させることができず幌１０を伝わってきた水Ｗをその場所で滴下させてしまう。
【０００７】
また、図１１（ａ）に示したように、ドアガラス５と接触する部位を中空シール部２２からリップ状のシールリップ部２５にかえた場合には、図１１（ｂ）に二点鎖線で示したように、ドアガラス５を下降させるときに下側に向けてシールリップ部２５が反転することでそのシール機能が発揮されなくなるおそれがある。
【０００８】
さらに特許文献１に記載の発明は、水受けリップ部を硬質のソリッドゴムで成形するとともに中空シール部を軟質のスポンジゴムで成形して、水受けリップ部がドアガラスの挙動の影響を受けて変形することを防止するものであるが、これによれば材質が限定されてしまうのに加えて、ドアガラスは中空シール部に設けられた水受けリップ部の付け根部付近に弾接するので、水受けリップ部は下向きになるように多少変形してしまう。特に水受けリップ部は、中空シール部に対してドアガラスが弾接する位置よりも上側に設けられているため、ドアガラスが中空シール部に弾接するとその押力は大きく水受けリップ部側に伝わりやすい。
【０００９】
そこで、本発明の目的とするところは、ドアガラスを閉めた際の水受けリップ部の変形を大きく抑えつつ優れたシール機能を発揮しうるオープンカー用ウェザーストリップのコーナー型成形部構造を提供することにある。
【課題を解決するための手段】
【００１０】
上記の目的を達成するために、本発明のオープンカー用ウェザーストリップのコーナー型成形部構造は、可動または取外し自在な非固定式ルーフ（１０）を有する車両のフロントピラー（１）上端部からフロントガラス（２）上端を固定するヘッダ（３）に沿って取付けられる支持部（２１）と、前記支持部（２１）に一体成形され前記ヘッダ（３）側では前記非固定式ルーフ（１０）に弾接しかつ前記フロントピラー（１）側では昇降するドアガラス（５）の上端縁に弾接する中空シール部（２２）と、前記フロントピラー（１）側の中空シール部（２２）の下部から前記非固定式ルーフ（１０）の閉時位置でその非固定式ルーフ（１０）の側面下方まで車外側に延びるように設けられた水受けリップ部（２４）を備えるオープンカー用ウェザーストリップ（２０）のコーナー型成形部（２０Ｘ）の構造であって、
前記中空シール部（２２）における、前記ドアガラス（５）の上端縁が弾接する位置よりも高い位置で車内側に、前記ドアガラス（５）に略平行に延びるスリット状の長孔（３０）を形成したことを特徴とする。
【００１１】
また、本発明は、前記中空シール部（２２）は、前記非固定式ルーフ（１０）の閉時位置でその非固定式ルーフ（１０）の側面下方に位置する第一中空シール部（２２Ａ）と、第一中空シール部（２２Ａ）よりも前側に位置して押出成形部（２０Ｘ）に接続される第二中空シール部（２２Ｂ）からなり、前記第一中空シール部（２２Ａ）の上面は、前記第二中空シール部（２２Ｂ）の上面よりも低く前側では下降して第二中空シール部内に入り込んで第二中空シール部（２２Ｂ）の下面に連設された堰（２２ＡＤ）が設けられ、前記第一中空シール部（２２Ａ）の前側を袋状に閉じた状態にしたことを特徴とする。
【００１２】
また、本発明は、前記水受けリップ部（２４）は、前記第一中空シール部（２２Ａ）に設けられ、
前記長孔（３０）はその前側が、前記第一中空シール部（２２Ａ）に設けられた水受けリップ部（２４）よりもさらに前側に延びる位置まで形成されてなることを特徴とする。
【００１３】
また、本発明は、前記長孔（３０）はその前側が、前記第一中空シール部（２２Ａ）の上面が下降した堰（２２ＡＤ）まで形成されてなることを特徴とする。
【００１４】
なお、括弧内の記号は、図面および後述する発明を実施するための形態に記載された対応要素または対応事項を示す。
【発明の効果】
【００１５】
本発明によれば、中空シール部の下部から車外側に延びる水受けリップ部を備えるオープンカー用ウェザーストリップのコーナー型成形部において、ドアガラスの上端縁が中空シール部に弾接するその位置よりも高い位置に、ドアガラスに略平行に延びるスリット状の長孔を形成したので、ドアガラスが中空シール部に弾接した際に中空シール部に生じる押圧力は長孔を形成しない場合と比較して緩和される。また、ドアガラスが弾接する位置は長孔ではなく中空シール部上であるのでシール機能が劣ることもない。
よって、ドアガラスが中空シール部に弾接したときにその影響を受けて水受けリップ部が大きく変形することが防止されるのでルーフから滴下する水を受けて排水する機能が損なわれることはない。
また、長孔の位置は、ドアガラスの上端縁が中空シール部に弾接するその位置よりも車内側で車外側に向けて設けられた水受けリップ部とは逆側になるので、水受けリップ部を伝わった水が長孔を通して車内側に浸入することもない。
【００１６】
また、本発明によれば、中空シール部を第一中空シール部と第二中空シール部から構成し、第二中空シール部の上面よりも低い第一中空シール部の上面を前側に下降させて第二中空シール部内部で下面に連設して第一中空シール部の前側を袋状にしたので、第一中空シール部の前側は堰となる。したがって、第二中空シール部内に浸入した水は前側に確実に排出されるので、例えば、登坂など前側が高くなる場所に車両を止めた場合でも、第一中空シール部側、すなわち後側に水が逆流することが防止される。
【００１７】
さらに、本発明によれば、長孔の前側は、第一中空シール部に設けられた水受けリップ部よりもさらに前側に延びる位置まで形成されているので、ドアガラスの挙動の影響を受けて水受けリップ部が変形することを水受けリップ部の全長にわたって防止することができる。
【００１８】
また、本発明によれば、長孔の前側は、第一中空シール部の上面が下降した堰まで形成され下降傾斜する部位を越えて前側には形成しないようにしたので、第二中空シール部側の水が長孔を介して後側の第一中空シール部側に浸入することはない。また、長孔の形成位置を第一中空シール部の上面が下降傾斜する部位までに設定することで長孔を形成する加工処理化が容易になる。
【００１９】
また、特に本発明と特許文献１に記載の発明を対比した場合でも、特許文献１に記載の発明では、水受けリップ部を硬質のソリッドゴムで成形するとともに中空シール部を軟質のスポンジゴムで成形するといったように材質が限定されるのに対して、本発明は特に材質が限定されるものではない。また、特許文献１に記載の発明では、水受けリップ部の付け根部がドアガラスが弾接する中空シール部の位置にあるのでドアガラスの挙動の影響を大きく受けるのに対して、本発明では水受けリップ部はドアガラスが弾接する中空シール部の位置より下方にあるので長孔を形成することに加えて位置的にもドアガラスの挙動の影響を受けにくい。さらに、特許文献１に記載の発明では、中空シール部に穴が形成されているがこれは水受けリップ部で受けた水を穴を通して上側の中空シール部に流し込むためのものであるので、本発明のように水受けリップ部がドアガラスの挙動の影響を受けにくくするものとは位置的及び形状が相違するのに加えてその目的も相違する。
このように、両者は構成，作用効果及び目的においても大きく相違するものである。
【図面の簡単な説明】
【００２０】
【図１】本発明の実施形態に係るオープンカー用ウェザーストリップのコーナー型成形部構造を示す斜視図である。
【図２】図１に示したオープンカー用ウェザーストリップのコーナー型成形部構造を車両に適用した状態を示す斜視図である。
【図３】図２に示したＢ−Ｂ線拡大断面図であり、（ａ）はドアガラスの開時，（ｂ）はドアガラスの閉時を示す。
【図４】図２に示したＣ−Ｃ線拡大断面図である。
【図５】本発明の実施形態に係る別のオープンカー用ウェザーストリップのコーナー型成形部構造を示す斜視図である。
【図６】オ−プンカ−を示す側面図であり、（ａ）は幌の閉時，（ｂ）は幌の開時を示す。
【図７】従来例に係るオープンカー用ウェザーストリップのコーナー型成形部構造を示す斜視図である。
【図８】図７に示したオープンカー用ウェザーストリップのコーナー型成形部構造を車両に適用した状態を示す斜視図である。
【図９】図８に示したＡ−Ａ線拡大断面図である。
【図１０】従来例に係る別のオープンカー用ウェザーストリップのコーナー型成形部構造の要部を示す断面図であり、（ａ）はドアガラスの開時，（ｂ）はドアガラスの閉時を示すもので、図８に示したＡ−Ａ線拡大断面図に相当する。
【図１１】従来例に係るさらに別のオープンカー用ウェザーストリップのコーナー型成形部構造の要部を示す断面図であり、（ａ）はドアガラスの開時，（ｂ）はドアガラスの閉時を示すもので、図８に示したＡ−Ａ線拡大断面図に相当する。
【図１２】別のオープンカーで幌の開時を示す側面図である。
【図１３】本発明の実施形態に係るさらに別のオープンカー用ウェザーストリップのコーナー型成形部構造を示す斜視図である。
【発明を実施するための形態】
【００２１】
図１乃至図４及び図６を参照して、本発明の実施形態に係るオープンカー用ウェザーストリップのコーナー型成形部構造について説明する。図１は、本発明の実施形態に係るオープンカー用ウェザーストリップのコーナー型成形部構造を示す斜視図であり、図２はその構造を車両に適用した状態を示す斜視図である。また、図３及び図４は、図２のＢ−Ｂ線拡大断面図及びＣ−Ｃ線拡大断面図を示す。なお、従来例で示したものと同一部分には同一符号を付した。
【００２２】
本発明の実施形態に係るオープンカー用ウェザーストリップは、図６に示すような、非固定式ルーフとして幌１０を有するオープンカーに適用されたものであり、支持部２１と中空シール部２２と水受けリップ部２４を主に備えている。
【００２３】
オープンカー用ウェザーストリップ２０のコーナー部Ｘは、図１に示すように２つの押出成形部２０Ｙ，２０Ｙが型成形により一体成形されてなる型成形部２０Ｘで構成され、図２に示すように、幌１０の閉時にはコーナー型成形部２０Ｘの上面が幌１０の前側角部に弾接する。
オープンカー用ウェザーストリップ２０の支持部２１は、コーナー型成形部２０Ｘにおいてフロントピラー１上端部からフロントガラス２上端を固定するヘッダ３に沿って取付けられている。
また、フロントピラー１側では昇降するドアガラス５の上端部に弾接して車内外をシールする中空シール部２２が備っており、ヘッダ３側では幌１０が閉じられたときに幌１０に弾接してヘッダ３と幌１０の間をシールする。中空シール部２２は、支持部２１の車外側に一体成形されている。
さらに、水受けリップ部２４は、フロントピラー１側の中空シール部２２の車外側の下部から幌１０の閉時位置でその幌１０の側面下方まで車外側に延びるように設けられている。水受けリップ部２４は、樋状、すなわち下向きに膨出湾曲していて幌１０の車外側面に沿って滴下する水Ｗを下から受けるようになっている。水受けリップ部２４の先端は、本実施形態では、幌１０の車外側面と面一になる位置まで延びているが幌１０の車外側面よりも僅かに車外側に突出するようにしてもよい。
なお、支持部２１の車内側にはドアガラス５の車内側面に弾接する中空状（リップ状にしたものであってもよい）のシール部２３が一体成形されている。
【００２４】
中空シール部２２は、大きさの異なる第一中空シール部２２Ａと第二中空シール部２２Ｂが接続されている。第一中空シール部２２Ａは、後側でしかも幌１０の閉時位置において幌１０の側面下方に位置するように設けられていて、第一中空シール部２２Ａの上面に幌１０が弾接するようになっている。また第二中空シール部２２Ｂは、前側に位置するように設けられさらに前側には押出成形部２０Ｘが接続されている。
また、図４に示すように、第一中空シール部２２Ａの上面は、第二中空シール部２２Ｂの上面よりも低く前側にいくにしたがって下降傾斜して第二中空シール部２２Ｂ内に入り込んで最終的には第二中空シール部２２Ｂの下面に連設されている。これによって、第一中空シール部２２Ａの前側は袋状に閉じた状態にされている。
なお、水受けリップ部２４は、第一中空シール部２２Ａ側に設けられている。
【００２５】
そして、中空シール部２２にはドアガラス５に略平行に延びるスリット状の長孔３０が形成されている。長孔３０は、図３に示すように、中空シール部２２において、ドアガラス５の上端縁が弾接する位置よりも高い位置でしかも車内側に形成されている。
また、長孔３０はその前側が、第一中空シール部２２Ａに設けられた水受けリップ部２４よりもさらに前側に延びる位置まで形成されるとともに、第一中空シール部２２Ａの上面が下降傾斜する部位まで形成されている。
なお、長孔３０の後側は、第一中空シール部２２Ａ側の後側端部に達するまで形成されるものではなく、後側端部から僅かに前側に寄った位置まで形成されている。
【００２６】
以上のように構成された本実施形態に係るオープンカー用ウェザーストリップのコーナー型成形部構造によれば、ドアガラス５の上端縁が第一中空シール部２２Ａに弾接するその位置よりも高い位置に、スリット状の長孔３０を形成したので、ドアガラス５が第一中空シール部２２Ａに弾接した際にその第一中空シール部２２Ａに生じる押圧力は長孔３０を形成しない場合と比較して緩和される。また、ドアガラス５が弾接する位置は長孔３０の上では第一中空シール部２２Ａの上であるのでシール機能が特に劣ることもない。
これによって、ドアガラス５が第一中空シール部２２Ａに弾接したときにその影響を受けて水受けリップ部２４が大きく変形することが防止されるので幌１０から滴下する水Ｗを受けて排水する水受けリップ部２４が有する本来の機能が損なわれることはない。
また、長孔３０の位置は、ドアガラス５の上端縁が第一中空シール部２２Ａに弾接するその位置よりも車内側であり、車外側に向けて設けられた水受けリップ部２４とは逆側になるので、水受けリップ部２４を伝わった水Ｗが長孔３０を通して車内側に浸入することもない。
【００２７】
また、第一中空シール部２２Ａの上面を前側に下降傾斜させて第二中空シール部２２Ｂ内部でその下面に連設して第一中空シール部２２Ａの前側を袋状にした堰２２ＡＤを設けたので、第一中空シール部２２Ａの前側は水用の堰となり、これにより、第二中空シール部２２Ｂ内に浸入した水Ｗは前側に確実に排出されるので、例えば、登坂など前側が高くなる場所に車両を止めた場合でも、第一中空シール部２２Ａ側、すなわち後側に水Ｗが逆流することが防止される。
【００２８】
さらに、長孔３０の前側を第一中空シール部２２Ａに設けられた水受けリップ部２４よりもさらに前側に延びる位置まで形成したので、ドアガラス５の挙動の影響を受けて水受けリップ部２４が変形することを水受けリップ部２４の全長にわたって防止することができる。
さらに、長孔３０の前側を第一中空シール部２２Ａの上面が下降傾斜する部位まで形成して下降傾斜する堰２２ＡＤを越えて前側には形成しないようにしたので、第二中空シール部２２Ｂ側の水Ｗが長孔３０を介して後側の第一中空シール部２２Ａ側に浸入することはない。また、長孔３０の形成位置を第一中空シール部２２Ａの上面が下降傾斜する堰２２ＡＤに到達するまでに設定することで、下降傾斜した堰２２ＡＤから距離を離した位置までに長孔３０を形成する場合と比較して、加工処理を容易に行うことができる。
なお、第一中空シール部２２Ａの堰２２ＡＤは、前側にいくにしたがって下降傾斜した事例で説明したが、傾斜ではなく段状に直下して第二中空シール部２２Ｂの下面に連設されてなるものであってもよい。
【００２９】
なお、本発明の実施形態に係るオープンカー用ウェザーストリップ２０のコーナー型成形部２０Ｘの構造では、中空シール部２２を大きさの異なる２つの第一中空シール部２２Ａと第二中空シール部２２Ｂを接続することで構成し、第一中空シール部２２Ａ側を袋状にし、さらに第一中空シール部２２Ａ側に水受けリップ部２４及び長孔３０を設けるようにしたが、図５に示すように、フロントピラー１側の中空シール部２２についての断面形状については略同一にして後側の上面に水受けリップ部２４を形成し、内部に長孔３０を形成するようにしてもよい。
【００３０】
また、幌１０を有するオープンカーの別の実施形態を図１２と図１３を用いて説明する。先の２つの実施形態（図１及び図５）ではフロントピラー１の上端部からフロントガラス２の上端を固定するヘッダ３に沿ってオープンカー用ウェザーストリップ２０が略コ字状に取付けられていたが、図１２に示したものは、ヘッダ３の中央部分にはオープンカー用ウェザーストリップ２０が存在せず、フロントピラー１の上端部からフロントピラー１に沿って取付けられているのみである。この場合、ヘッダ３の中央部分のウェザーストリップは幌１０側に取付けられており、幌１０の閉時には図示しない該幌１０側のウェザーストリップがヘッダ３に当接してシールする。
そしてオープンカー用ウェザーストリップ２０のコーナー部Ｘは、図１３に示すようにフロントピラー１に沿って取付けられる１つの押出成形部２０Ｙが型成形により一体成形されてなる型成形部２０Ｘで構成され、先の実施形態（図１及び図５）と同様に幌１０の閉時には幌１０の前側角部に弾接する。この別の実施形態はヘッダ３側に押出成形部２０Ｙが存在せず、型成形部２０Ｘのヘッダ３側の形状が先の２つの実施形態（図１及び図５）と異なるだけでその他の構造は先の２つの実施形態（図１及び図５）と同一である。
【００３１】
また、ここでは、本発明の実施形態に係るオープンカー用ウェザーストリップ２０のコーナー型成形部２０Ｘの構造について、幌１０を有するオープンカーに適用した例を示したが、これに限定されることなく、可動または取外し自在な非固定式ルーフを有する車両に適用することができる。
例えば、ルーフを分割することができるタルガトップ車や、ルーフが２分割されるＴバールーフ車においても適用することができる。
【符号の説明】
【００３２】
１      フロントピラー
２      フロントガラス
３      ヘッダ
５      ドアガラス
６      ドア
１０      幌
２０      オープンカー用ウェザーストリップ
２０Ｘ    型成形部
２０Ｙ    押出成形部
２１      支持部
２２      中空シール部
２２Ａ    第一中空シール部
２２Ｂ    第二中空シール部
２２ＡＤ  堰
２３      シール部
２４      水受けリップ部
２５      シールリップ部
３０      長孔
Ｓ      隙間
Ｗ      水
Ｘ      コーナー部
【図１】
2014019329.tif 000003
【図２】
2014019329.tif 000004
【図３】
2014019329.tif 000005
【図４】
2014019329.tif 000006
【図５】
2014019329.tif 000007
【図６】
2014019329.tif 000008
【図７】
2014019329.tif 000009
【図８】
2014019329.tif 000010
【図９】
2014019329.tif 000011
【図１０】
2014019329.tif 000012
【図１１】
2014019329.tif 000013
【図１２】
2014019329.tif 000014
【図１３】
2014019329.tif 000015